(57)【要約】      （修正有）【課題】花粉症やシックハウス症候群等の化学物質過敏症やウイルス感染症に対して効果のある廉価な化学物質過敏症及びウイルス対策用マスクを提供することである。【解決手段】粉状の炭化物を圧縮して作った炭化物の固形体を水に入れ加熱し沸騰させた後に徐冷することによって得られるナノレベル炭素抽出液と酸化チタン水溶液を所定の割合で混合した混合液を高圧で含浸させた織布、又は、前記混合液を高圧で含浸させた繊維を織った織布によって形成される。【選択図】図１
2005131072.tif 000002
【特許請求の範囲】
【請求項１】
粉状の炭化物を圧縮して作った炭化物の固形体を水に入れ加熱し沸騰させた後に徐冷することによって得られるナノレベル炭素抽出液と酸化チタン水溶液を所定の割合で混合した混合液を高圧で含浸させた織布、又は、前記混合液を高圧で含浸させた繊維を織った織布によって形成されることを特徴とする化学物質過敏症及びウイルス対策用マスク。
【請求項２】
前記混合液の前記所定の割合が、容積比で、前記酸化チタン水溶液１に対して、前記ナノレベル炭素抽出液が１又はそれ以上であることを特徴とする請求項１に記載の化学物質過敏症及びウイルス対策用マスク。
【請求項３】
前記酸化チタン水溶液が、第１比率のペルオキソチタン酸水溶液アモルファスゾルと、第２比率のペルオキソチタン改質アナターゼゾルとによって構成されることを特徴とする請求項１又は２に記載の化学物質過敏症及びウイルス対策用マスク。
【請求項４】
前記第１比率が２５重量％〜３５重量％であり、前記第２比率が６５重量％〜７５重量％であることを特徴とする請求項３に記載の化学物質過敏症及びウイルス対策用マスク。
【請求項５】
前記酸化チタン水溶液が、表面をペルオキソ基で修飾したアナターゼ微粒子を含むことを特徴とする請求項１に記載の化学物質過敏症及びウイルス対策用マスク。
【請求項６】
前記酸化チタン水溶液が、チタン含有液体から沈殿形成によって形成した水酸化チタン又はチタン酸化物を水中に分散させた液に、過酸化物を添加してペルオキソチタン溶液とした後に、前記ペルオキソチタン溶液を８５°Ｃ〜２００°Ｃにおいて２時間〜４０時間加熱処理したものであることを特徴とする請求項１に記載の化学物質過敏症及びウイルス対策用マスク。    
【請求項７】
前記織布の上縁及び下縁の両方又はいずれか一方の内部に、薄い金属片が配置されていることを特徴とする請求項１から６までのいずれか１項に記載の化学物質過敏症及びウイルス対策用マスク。
【請求項８】
前記織布の周囲に、内部が空洞で蛇腹状の形態の顔面密着構造体が配置されており、前記顔面密着構造体の内部に空気を吹き込んで膨らませることにより、マスクを装着者の顔面の輪郭に合致させるように構成されていることを特徴とする請求項１から７までのいずれか１項に記載の化学物質過敏症及びウイルス対策用マスク。
【発明の詳細な説明】
【技術分野】
【０００１】
本発明は一般に、化学物質過敏症及びウイルス対策用マスクに関する。より詳細には、本発明は、シックハウス症候群等の化学物質過敏症及びウイルス対策に対して効果のある廉価なマスクに関する。なお、化学物質過敏症には、シックハウス症候群、シックスクール症候群、シックビル症候群、花粉症、喘息等が含まれる。
【背景技術】
【０００２】
マスクは、環境衛生上、主として、浮遊している有機物塵埃等による呼吸器感染症や花粉症等の予防と、臭気による刺激の緩和に用いられている。マスクは、長さ１５ｃｍ程のガーゼ、晒し木綿、不織布等によって形成され、ガーゼ等の両端に紐を取り付ける構造が一般的であり、ガーゼ等で鼻と口を覆い、紐を両耳に掛けることによって装着される。近年、マスク等の素材として、濾過性、生産性、コスト性から、化学繊維の不織布が主流となっているが、静電気による塵埃の吸着が問題視されるようになっている。また、近年、花粉症やシックハウス症候群等の化学物質過敏症に悩まされる人々が急増しており、深刻な社会問題にもなっている。化学物質過敏症に悩まされる人は、その対策として抗菌マスクを使用する場合が多いが、十分な効果があるとは言い難いのが現状である。また、花粉症対策用のマスクとして市販されているものもあるが、それらは比較的高価であり、全ての患者にとって有効なものとはなっていない。このような状況を打開すべく、本出願人は、化学物質過敏症対策用マスクの研究開発を行い、その成果について特許出願した（特許文献１参照）。
【０００３】
【特許文献１】特願２００２−１４５６８０号明細書
【発明の開示】
【発明が解決しようとする課題】
【０００４】
特許文献１に記載されているマスクは、幸いにして好評を博している。本出願は、特許文献１に記載されている発明に更に改良を施し、一層良好な効果を有する化学物質過敏症及びウイルス対策用マスクを提供しようとするものである。
【課題を解決するための手段】
【０００５】
本願請求項１に記載の化学物質過敏症及びウイルス対策用マスクは、粉状の炭化物を圧縮して作った炭化物の固形体を水に入れ加熱し沸騰させた後に徐冷することによって得られるナノレベル炭素抽出液と酸化チタン水溶液を所定の割合で混合した混合液を高圧で含浸させた織布、又は、前記混合液を高圧で含浸させた繊維を織った織布によって形成されることを特徴とするものである。
【０００６】
本願請求項２に記載の化学物質過敏症及びウイルス対策用マスクは、前記請求項１のマスクにおいて、前記混合液の前記所定の割合が、容積比で、前記酸化チタン水溶液１に対して、前記ナノレベル炭素抽出液が１又はそれ以上であることを特徴とするものである。
【０００７】
本願請求項３に記載の化学物質過敏症及びウイルス対策用マスクは、前記請求項１又は２のマスクにおいて、前記酸化チタン水溶液が、第１比率のペルオキソチタン酸水溶液アモルファスゾルと、第２比率のペルオキソチタン改質アナターゼゾルとによって構成されることを特徴とするものである。
【０００８】
本願請求項４に記載の化学物質過敏症及びウイルス対策用マスクは、前記請求項３のマスクにおいて、前記第１比率が２５重量％〜３５重量％であり、前記第２比率が６５重量％〜７５重量％であることを特徴とするものである。
【０００９】
本願請求項５に記載の化学物質過敏症及びウイルス対策用マスクは、前記請求項１のマスクにおいて、前記酸化チタン水溶液が、表面をペルオキソ基で修飾したアナターゼ微粒子を含むことを特徴とするものである。
【００１０】
本願請求項６に記載の化学物質過敏症及びウイルス対策用マスクは、前記請求項１のマスクにおいて、前記酸化チタン水溶液が、チタン含有液体から沈殿形成によって形成した水酸化チタン又はチタン酸化物を水中に分散させた液に、過酸化物を添加してペルオキソチタン溶液とした後に、前記ペルオキソチタン溶液を８５°Ｃ〜２００°Ｃにおいて２時間〜４０時間加熱処理したものであることを特徴とするものである。
【００１１】
本願請求項７に記載の化学物質過敏症及びウイルス対策用マスクは、前記請求項１から６までのいずれか１項のマスクにおいて、前記織布の上縁及び下縁の両方又はいずれか一方の内部に、薄い金属片が配置されていることを特徴とするものである。
【００１２】
本願請求項８に記載の化学物質過敏症及びウイルス対策用マスクは、前記請求項１から７までのいずれか１項のマスクにおいて、前記織布の周囲に、内部が空洞で蛇腹状の形態の顔面密着構造体が配置されており、前記顔面密着構造体の内部に空気を吹き込んで膨らませることにより、マスクを装着者の顔面の輪郭に合致させるように構成されていることを特徴とするものである。
【発明の効果】
【００１３】
本発明のマスクによれば、空気中に浮遊している化学物質やウイルスがマスクを通過する際、光触媒により分解されるので、化学物質過敏症やウイルス感染症の原因となる有害な有機物が人体に入るのを阻止することができる。また、本発明のマスクは、ナノレベル炭素抽出液と酸化チタン水溶液の混合液を普通のガーゼ・マスクに含浸させればよいので、廉価に製造することができる。また、酸化チタン水溶液は、触媒作用を生じさせるときに僅かなホスゲン等の中間生成物を発生させるので、上述の混合液を使用することにより、ホスゲン等の中間生成物を分解することができる。さらに、本発明のマスクに顔面密着構造体を取り付けることにより、マスクを装着者の顔面の輪郭に合致させることができる。本発明のマスクは、これらの化学物質過敏症の患者やウイルス感染患者用として用いられるのみならず、化学物質を取り扱う研究室の研究員、塗装業者、自動車整備工場の従業員、医療従事者用としても用いられる。
【発明を実施するための最良の形態】
【００１４】
次に添付図面を参照して、本発明の好ましい実施の形態に係る化学物質過敏症及びウイルス対策用マスクについて詳細に説明する。図１において全体として参照符号１０で示される本発明の化学物質過敏症及びウイルス対策用マスクは、ナノレベル炭素抽出液と酸化チタン水溶液とを混合させた混合液を含浸させた織布１２によって形成される。
【００１５】
上述の混合液は、容積比で、酸化チタン水溶液１に対して、ナノレベル炭素抽出液を１又はそれ以上の割合で混合して得られるものである。
【００１６】
「ナノレベル炭素抽出液」とは、本発明者の開発した液体であって、以下のようにして製造される。まず、粉状の炭化物を圧縮（プレス）して、炭化物の固形体を作る。次いで、この固形体を水に入れて加熱する。その際、水１リットルに対して固形体を１００グラム又はそれ以上とする。沸騰させた後、徐冷した液体がナノレベル炭素抽出液となる。上述のようにして製造されるナノレベル炭素抽出液中には、微細な（ナノレベルのオーダーの）炭化物粒子が含まれている。
【００１７】
酸化チタン水溶液は、所定比率のペルオキソチタン酸水溶液アモルファスゾルと、所定比率のペルオキソチタン改質アナターゼゾルとによって構成される。ペルオキソチタン酸水溶液アモルファスゾルの比率は、２５重量％〜３５重量％であり、ペルオキソチタン改質アナターゼゾルの比率は、６５重量％〜７５重量％である。また、好ましくは、ペルオキソチタン酸水溶液アモルファスゾルの比率は、３０重量％であり、ペルオキソチタン改質アナターゼゾルの比率は、７０重量％である。
【００１８】
上述の酸化チタン水溶液は、表面をペルオキソ基で修飾したアナターゼ微粒子を含む。このアナターゼ微粒子は、表面がペルオキソ基で修飾されているので、水中に分散したアナターゼ微粒子は、その表面のペルオキソ基の分極によって粒子間に電気的斥力が作用するため、凝集することなしに長期的に安定して存在する。
【００１９】
上述の酸化チタン水溶液は、以下のように製造することができる。水酸化チタンゲル、又は、水中で微粉砕した水酸化チタン、酸化チタン等の微粒子を分散させた液をチタン含有物質の原料とする。水酸化チタンゲルは、塩化チタン、硫酸チタン等の無機チタン化合物の水溶液とアンモニア、水酸化ナトリウム等との反応等によって製造したものを用いることができる。次いで、水酸化チタンゲル、酸化チタン等の分散液を、沈殿形成に用いた物質が検出されなくなるまで十分に水洗した後に、過酸化水素水を加えて攪拌すると、黄色のペルオキソチタン酸溶液が得られる。得られた黄色のペルオキソチタン酸溶液を、８５°Ｃ〜２００°Ｃにおいて、４０時間〜２時間の加熱処理を行うと、ペルオキソ基を有するアナターゼの結晶核が生成される。より好ましい加熱温度は、９５°Ｃ〜１００°Ｃであり、より好ましい加熱時間は、８時間〜４時間である。以上の処理により、数ｎｍ〜５０ｎｍの結晶化したアナターゼの微粒子を含む薄黄色の半透明又は不透明な液体が得られ、アナターゼ表面にはペルオキソ基が修飾されている。
【００２０】
上述のようにして生成されたナノベル炭素抽出液と酸化チタン水溶液を上述の割合で混合した混合液を織布１２に含浸させる。この際、混合液を、例えば高圧ガン等を用いて、高圧で織布１２に圧入するのが好ましい。何故ならば、酸化チタン水溶液は発水性があるので、混合液を高圧で圧入しなければ、織布の繊維間に存在する空気膜を崩壊させて繊維間に結晶被膜を形成することができないからである。
【００２１】
織布１２は、例えば、ガーゼで作られたガーゼ・マスクのように、予めマスク状に形成したものを用いてもよく、或いは、ナノレベル炭素抽出液と酸化チタン水溶液の混合液を含浸させた後にマスク状に形成してもよい。
【００２２】
マスク１０の本体となる織布１２の左右の両端には、マスク１０を装着する際に耳に掛けるための紐１２ａが取り付けられている。また、好ましくは、織布１２の上縁及び下縁の両方又はいずれか一方の内部に、薄い金属片１２ｂが配置されている。金属片１２ｂは、マスク１０の装着時にマスク１０の上縁及び／又は下縁が顔面に密接するのを助けるのに役立つ。
【００２３】
好ましくは、マスク１０の本体となる織布１２の周囲には、顔面密着構造体１４が配置されている。顔面密着構造体１４は、内部が空洞１４ａの蛇腹状の形態を有しており、ゴム、合成樹脂材料等で形成されている。顔面密着構造体１４には、空洞１４ａ内に空気を吹き込むための吹込装置１６が取り付けられている。吹込装置１６には、吹込口１６ａが設けられており、吹込口１６ａは、吹き込み時以外は閉鎖しているように、ゴム等の弾性体で形成されている。
【００２４】
図３は、顔面密着構造体１４の使用例を示した一連の図である。まず、図３（ｂ）に示されるように、吹込口１６ａを両側から指で押して開放し、空洞１４ａ内に空気を吹き込む。顔面密着構造体１４が所要の大きさに膨らんだら、指を離すと、吹込口１６ａは閉鎖する（図３（ｃ）参照）。マスク１０の装着者の顔面の輪郭はそれぞれ異なっているが、このようにして、顔面密着構造体１４を所要の大きさに膨らませることにより、マスク１０を装着者の顔面の輪郭に合致させることができる。
【００２５】
図４は、本発明のマスクに対して実施した抗菌試験の結果を示したグラフである。本抗菌試験では、試験株としてＭＲＳＡ・ＭＲ−１０８を使用した。図４のグラフにおいて、横軸が経過時間（分）、縦軸が単位面積当たりの相対生菌数（％）を表している。図４から分かるように、１分以内で約９５％の生菌数の減少が確認された。これは、マスクを装着し、太陽光線や蛍光灯の灯があるところでは、細菌を死滅させることが可能であることを意味している。
【００２６】
本発明は、以上の発明の実施の形態に限定されることなく、特許請求の範囲に記載された発明の範囲内で、種々の変更が可能であり、それらも本発明の範囲内に包含されるものであることはいうまでもない。
【００２７】
例えば、前記実施の形態では、織布にナノレベル炭素抽出液と酸化チタン水溶液の混合液を含浸させてマスクを形成しているが、織布にする前の繊維に前記混合液を含浸させた後、当該繊維を織って織布にし、マスクを形成してもよい。
【図面の簡単な説明】
【００２８】
【図１】本発明の好ましい実施の形態に係るマスクを示した斜視図である。
【図２】図１のマスクに取り付けられる顔面密着構造体を示した図であって、図２（ａ）は、図１の線２ａ−２ａに沿って見た図、図２（ｂ）は、図２（ａ）の線２ｂ−２ｂに沿って見た図である。
【図３】顔面密着構造体の使用例を示した一連の図である。
【図４】本発明のマスクの効果を実証するために行った試験の結果を示したグラフである。
【符号の説明】
【００２９】
１０    マスク
１２    織布
１２ａ  紐
１２ｂ  金属片
１４    顔面密着構造体
１４ａ  空洞
１６    吹込装置
１６ａ  吹込口
【図１】
2005131072.tif 000003
【図２】
2005131072.tif 000004
【図３】
2005131072.tif 000005
【図４】
2005131072.tif 000006